(57)【要約】      （修正有）【課題】屋内外の仏前に線香の縦横状を自由に選び供えられる線香炉セットを提供する。【解決手段】線香炉は横長で平箱形状にし線香炉の両側面に雨水流出口を設け、線香炉内の全面に治まる金網状の各目ニで線香の横振れを最小限に押え縦状に支える下線香支え具の枠ロに固着した下線香支え具を設け、線香の下方部を上下二重支えにするため、下線香支え具と同形状の同役をする上線香支え具の枠ロの前後の下側両側箇所に突設部を設け、上下の線香支え具に一定の離間を得る上線香支え具を重ね設け、上線香支え具の任意の目に線香を縦状に挿入し下線香支え具を経て線香の下端が線香炉の底に止め置く状態にする。【選択図】図１
2012011156.tif 000002
【特許請求の範囲】
【請求項１】
雨水流出口を設けた線香炉内に、金網状の各目で線香の下方部を上下二重支え構造とする線香支え具を設ける線香炉セット。
【請求項２】
請求項１の如く線香の下方部を金網状の各目で上下二重支え構造とする線香支え具。
【請求項３】
線香炉内に請求項１の構造技術を実施する線香炉に、雨水流出口を設ける線香炉。
【発明の詳細な説明】
【技術分野】
【０００１】本発明は、屋内外の仏前に線香の縦横状を自由に選び供えられる線香炉セットに関するものである。
【背景技術】
【０００２】従来線香を支えるために灰を用いた線香炉は霊園等の屋外に設置することは不可欠であり、墓参時に線香を縦状に供えることは困難であるため墓石上に横状に供えるのが通常で、線香の火の中途消えが有り燃え残りが多い欠点を有し、その欠点解消目的で線香を横状に供える線香炉皿を併用している例があり、また雨風を防ぐ屋外で用いる線香炉がある。
【発明の開示】
【発明が解決しようとする課題】
【０００３】線香を灰で支える線香炉は灰内の燃え残り線香の除去法に浪費があり、また墓石上に線香を横状に供えた際の線香の火の中途消えを除去するため本発明は屋内外の仏前に線香の縦横状を自由に選び供えられる線香炉セットを提供する。
【発明の開示】
【発明が解決する手段】
【実施例】
【０００４】本発明の線香の縦横状を自由に選び供えられる線香炉セットの線香炉は、横長で平箱形状にし線香炉の両側面に雨水流出口を設け、線香炉内の全面に治まる金網状の各目で線香の横振れを最小限に押え縦状に支える下線香支え具の枠に固着した下線香支え具を設け、線香の下方部を二重支えにするために下線香支え具と同形状の同役をする上線香支え具の枠の前後の下側両側箇所に突説部を設けて上下の線香支え具に一定の離間を得る上線香支え具を重ね設け、上線香支え具の任意の目に線香を縦状に挿入し下線香支え具を経て線香の下端が線香炉の底に止め置く状態にする。
【実施例】
【０００５】前記［実施例］［０００４］の構造であるため屋内外に設置を可能にし、上線香支え具の上面に線香の縦横状を自由に選び供えられる。
【実施例】
【０００６】本発明の線香炉セットは着脱自在で掃除が容易であるため、従来の灰を用いる線香炉には灰の代役として線香炉内に本発明の線香炉セットの構造技術を実施することで灰内の燃え残り線香の除去法の浪費を解消する。
【実施例】
【０００７】従来の灰を用いる線香炉の構造では霊園等の屋外設置は不可欠であり、墓参時に線香を縦状に供えることは困難であるため墓石上に横状に供えた際、線香の火の中途消えをする欠点を有していたが、灰を用いる線香炉の適当箇所に雨水流出口を設け線香炉内に本発明の構造技術を実施することで屋内外に設置することを可能にし、墓参時に線香を縦状に供えられ線香の火の中途消えの欠点を解消する。
【発明の開示】
【発明の効果】
【０００８】本発明の線香の縦横状を自由に選び供えられる線香炉セットは着脱自在で掃除が容易であり、墓参時等に線香を縦状に供えられることで線香の特徴を活し墓前の美化を得、上線香支え具の上面には線香の縦横状を自由に選び任意箇所に供えられる。
また灰を用いる線香炉には線香炉内の適当箇所に雨水流出口を設け、灰の代役として本発明の構造技術を実施することで屋内外に設置することを可能し、従来の欠点を解消する。
【発明を実施するための最良の形態】
【０００９】線香の縦横状を自由に選び供えられる線香炉セットを図面で設明すれば雨水流出口イを設けた線香炉１内に設ける金網状の各目ニで線香４を縦状に支える下線香支え具２を設け、線香４の下方部を上下二重支え状にする上線香支え具３を重ね設け、上線香支え具３の任意の目に線香４を縦状に挿入し、下線香支え具２を経て線香４の下端が線香炉１の底に止め置く状態にする。
【図面の簡単な説明】
【００１０】
【図１】線香炉セット全３点を重ね実施時の表面斜視図である。
【図２】線香の横正面図である。
【図３】上線香支え具の斜視図である。
【図４】下線香支え具の斜視図である。
【図５】線香炉の斜視図である。
【符号の説明】
【００１１】１  線香炉である。
２  下線香支え具である。
３  上線香支え具である。
４  線香である。
イ  雨水流出口である。
ロ  線香支え具の枠である。
ハ  上線香支え具の枠の突設部である。
ニ  金網状の各目である。
【図１】
2012011156.tif 000003
【図２】
2012011156.tif 000004
【図３】
2012011156.tif 000005
【図４】
2012011156.tif 000006
【図５】
2012011156.tif 000007
【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
不燃材の線香炉（１）内の下方部に雨水流出口（イ）を設け、線香炉（１）内に不燃材の金網状の各目（ニ）を有する下線香支え具（２）を設け、その上に前記と同形状の同役をする上線香支え具（３）を一定の離間を置き重ね状とする線香炉セット。
【請求項２】
請求項１の上線香支え具（３）機能を実施することを前提とし、線香（４）の下方部を複数箇所で支る線香支え具。
【請求項３】
不燃材の線香炉内に請求項１の発明技術を実施する線香炉の下方部に雨水流出口（イ）を設ける線香炉。
【手続補正２】
【補正対象書類名】明細書
【補正対象項目名】全文
【補正方法】変更
【補正の内容】
【発明の詳細な説明】
【技術分野】
【０００１】  本発明は、屋内外の仏前に線香の縦横状を自由に選び供えられる線香炉セットに関するものである。
【背景技術】
【０００２】  従来、線香炉に線香を縦状に支えるために線香炉内に灰を用いていた線香炉は屋外の墓前に常設は不適当であり、墓参時に線香を墓石上に直接横状に供えることが多くその際線香の火が中途消えを生ずることが有りその中途消えを解消目的で、線香炉皿内に金網の線香受けを設け線香を横状に供える線香炉皿が有り、また線香の燃焼を助けるため線香の供え部を金網皿にし、その下方に十分な離間を置き灰受け皿を設け、また上方にも同じく離間を置き水漏れ阻止の屋根を設けた線香を横状に供える線香立てがある。
【発明の概要】
【発明が解決しようとする課題】
【０００３】  線香を縦状に支えるため線香炉内に灰を用いている線香炉は灰内の燃え残り線香の除去に浪費があり、また屋外に常設することは不適当であるため墓参時に線香を直接墓石上に供えることが多く、その際線香の火が中途消えを生ずることが有りその欠点を解消目的で、本発明は線香の縦横状を自由に選び供えられる線香炉セットを屋内外の任意箇所に常設を可能にすると共に、従来灰を用いていた線香炉を屋内外の任意箇所に常設を可能にする。
【発明の開示】
【発明が解決するための手段】
【実施例】
【０００４】  本発明の線香の縦横状を自由に選び供えられる線香炉セットの線香炉（１）は不燃材の横長平箱形状にし、線香炉（１）の両側面の下方部に雨水流出口（イ）を設け、線香炉（１）内の全面に治まる不燃材の下線香支え具（２）の枠（ロ）に固着する不燃材の金網状の各目（ニ）が線香（４）の横振れを抑え縦状に支える役をし、更にその上方位置に同形状の同役をする上線香支え具（３）を一定の離間を置き重ね設けるため上線香支え具（３）の枠（ロ）の前後の下側両側箇所に突設部（ハ）を設けて重ね、線香（４）の下方部を複数箇所で支える。従って上線香支え具（３）の金網状の各目（ニ）の任意の目に線香（４）を縦状に挿入し下線香支え具（２）を経て線香炉（１）の底に止め置くことを可能にする。また本発明の線香炉セットの上面に供える線香（４）は縦横状は自由であり、従来の欠点を軽減する。
【実施例】
【０００５】  線香炉内に灰を用いていた線香炉の下方部に雨水流出口を設け、灰の代役として本発明技術を実施することで従来の欠点を軽減し、また屋内外の任意箇所に常設を可能にする。
【実施例】
【０００６】  本発明の線香支え具技術を実施する線香炉の形状に対応し、線香支え具の形状及び構造の一部を変えることは自由とする。
【発明の効果】
【０００７】  ［０００４］の発明であるため上線香支え具（３）の上面に線香の縦横状を自由に選び供えられる。
【発明の効果】
【０００８】  本発明の線香炉セットは、着脱自在であるため強風日の墓参時には線香炉（１）内に下線香支え具（２）をセットし，その上に線香（４）を横状に供え、その上に上線香支え具（３）をセットすることで線香（４）の飛散を避けられる。
【発明の効果】
【０００９】  線香炉内に灰を用いた線香炉の下方部に雨水流出口を設け灰の代役として本発明技術を実施することで、本発明と共に線香の火に対応した防火対策が整っている範囲内の屋内外の任意箇所に常設を可能にする。
【発明の効果】
【００１０】  本発明の線香の縦横状を自由に選び供えられる線香炉セットは着脱自在で掃除が容易であり、墓参時などに線香を縦状に供えられるので線香の特性を活し墓前の美化を得、線香の縦横状を自由に選び墓前の任意箇所に供えられる。
【発明を実施するための最良の形態】
【００１１】  本発明の線香の縦横状を自由に選び供えられる線香炉セットの線香炉（１）は不燃材の横長平箱形状にし、線香炉（１）の両側面の下方部に雨水流出口（イ）を設け、線香炉（１）内の全面に治まる不燃材の下線香支え具（２）の枠（ロ）に固着する不燃材の金網状の各目（ニ）が線香（４）の横振れを抑え縦状に支える役をし、更にその上方位置に同形状の同役をする上線香支え具（３）を一定の離間を置き重ね設けるため上線香支え具（３）の枠（ロ）の前後の下側両側箇所に突設部（ハ）を設けて重ね、線香（４）の下方部を複数箇所で支える。従って上線香支え具（３）の金網状の各目（ニ）の任意の目に線香（４）を縦状に挿入し下線香支え具（２）を経て線香炉（１）の底に止め置くことを可能にし、上線香支え具（３）の上面に供える線香（４）は縦横自由である。また灰を用いていた線香炉の下方部に雨水流出口を設け灰の代役として本発明技術を実施することで従来の欠点を軽減すると共に屋内外の任意箇所に常設を可能にする。
【図面の簡単な説明】
【００１２】
【図１】線香炉セット全３点を重ね実施時の表面斜視図である。
【図２】線香の横正面図である。
【図３】上線香支え具の斜視図である。
【図４】下線香支え具の斜視図である。
【図５】線香炉の斜視図である  １  線香炉である。２  下線香支え具である。３  上線香支え具である。４  線香である。
【符号の説明】
【００１３】  イ  雨水流出口
ロ  線香支え具の枠
ハ  上線香支え具の枠
ニ  金網状の各目